【手続補正書】
【提出日】平成20年4月22日(2008.4.22)
【手続補正１】
【補正対象書類名】明細書
【補正対象項目名】発明の名称
【補正方法】変更
【補正の内容】
【発明の名称】デジタルカメラ、プリントシステム及びそれらの制御方法
【手続補正２】
【補正対象書類名】明細書
【補正対象項目名】特許請求の範囲
【補正方法】変更
【補正の内容】
【特許請求の範囲】
【請求項１】  プリンタと通信可能であり、画像を前記プリンタによって印刷させるための制御を行うデジタルカメラであって、
印刷対象の画像および印刷枚数を指定する印刷指定手段と、
印刷対象の画像をプリンタに送信するための通信手段と、
前記デジタルカメラの電源がバッテリであるか、ＡＣ電源であるかを判別する電源判別手段と、
前記電源判別手段によりバッテリであると判別され、さらに、前記印刷指定手段により印刷指示された枚数が複数であると判別された場合は、ＡＣ電源を使用することを促すための警告を表示する表示手段とを有することを特徴とするデジタルカメラ。
【請求項２】  さらに、印刷対象の画像の印刷開始の指示を受け付けるための制御手段を有し、
前記制御手段は、前記印刷指定手段により印刷指示された枚数が所定枚数以上である場合には、印刷開始の指示を受け付けないように制御することを特徴とする請求項１に記載のデジタルカメラ。
【請求項３】  前記制御手段は、印刷開始を指示するための印刷開始ボタンを前記表示手段に表示させることにより印刷開始の指示を受け付け可能とし、前記印刷指定手段により印刷指示された枚数が所定枚数以上である場合には、前記印刷開始ボタンを表示させないことを特徴とする請求項２に記載のデジタルカメラ。
【請求項４】  画像入力装置と、上記画像入力装置から送信される画像を記録用紙にプリント出力するプリンタとを備えたプリントシステムであって、
前記画像入力装置の電源がバッテリであるか、ＡＣ電源であるかを判別する電源判別手段と、
印刷対象の画像および印刷枚数を指定する印刷指定手段と、
前記電源判別手段によりバッテリであると判別され、さらに、前記印刷指定手段により印刷指示された枚数が複数であると判別された場合は、ＡＣ電源を使用することを促すための警告を表示する表示手段とを有することを特徴とするプリントシステム。
【請求項５】  さらに、印刷対象の画像の印刷開始の指示を受け付けるための制御手段を有し、
前記制御手段は、前記印刷指定手段により印刷指示された枚数が所定枚数以上である場合には、印刷開始の指示を受け付けないように制御することを特徴とする請求項４に記載のプリントシステム。
【請求項６】  前記制御手段は、印刷開始を指示するための印刷開始ボタンを前記表示手段に表示させることにより印刷開始の指示を受け付け可能とし、前記印刷指定手段により印刷指示された枚数が所定枚数以上である場合には、前記印刷開始ボタンを表示させないことを特徴とする請求項５に記載のプリントシステム。
【請求項７】  プリンタと通信可能であり、画像を前記プリンタによって印刷させるための制御を行うデジタルカメラの制御方法であって、
印刷対象の画像および印刷枚数を指定する印刷指定手順と、
印刷対象の画像をプリンタに送信するための通信手順と、
前記デジタルカメラの電源がバッテリであるか、ＡＣ電源であるかを判別する電源判別手順と、
前記判別手順によりバッテリであると判別され、さらに、前記印刷指定手順により印刷指示された枚数が複数であると判別された場合は、ＡＣ電源を使用することを促すための警告を表示手段に表示する表示手順とを有することを特徴とするデジタルカメラの制御方法。
【請求項８】  さらに、印刷対象の画像の印刷開始の指示を受け付けるための制御手順を有し、
前記制御手順は、前記印刷指定手順により印刷指示された枚数が所定枚数以上である場合には、印刷開始の指示を受け付けないように制御することを特徴とする請求項７に記載のデジタルカメラの制御方法。
【請求項９】  前記制御手順は、印刷開始を指示するための印刷開始ボタンを前記表示手段に表示させることにより印刷開始の指示を受け付け可能とし、前記印刷指定手順により印刷指示された枚数が所定枚数以上である場合には、前記印刷開始ボタンを表示させないことを特徴とする請求項８に記載のデジタルカメラの制御方法。
【請求項１０】  画像入力装置と、上記画像入力装置から送信される画像を記録用紙にプリント出力するプリンタとを備えたプリントシステムの制御方法であって、
前記画像入力装置の電源がバッテリであるか、ＡＣ電源であるかを判別する電源判別手順と、
印刷対象の画像および印刷枚数を指定する印刷指定手順と、
前記電源判別手順によりバッテリであると判別され、さらに、前記印刷指定手順により印刷指示された枚数が複数であると判別された場合は、ＡＣ電源を使用することを促すための警告を表示手段に表示する表示手順とを有することを特徴とするプリントシステムの制御方法。
【手続補正３】
【補正対象書類名】明細書
【補正対象項目名】０００１
【補正方法】変更
【補正の内容】
【０００１】
【発明の属する技術分野】
本発明は、デジタルカメラ、プリントシステム及びそれらの制御方法に関し、より具体的には、静止画を記録するスチルカメラやビデオカメラ等によって撮像された画像データをプリント出力するのに用いて好適なものに関する。
【手続補正４】
【補正対象書類名】明細書
【補正対象項目名】００１２
【補正方法】変更
【補正の内容】
【００１２】
【課題を解決するための手段】
本発明のデジタルカメラは、プリンタと通信可能であり、画像を前記プリンタによって印刷させるための制御を行うデジタルカメラであって、印刷対象の画像および印刷枚数を指定する印刷指定手段と、印刷対象の画像をプリンタに送信するための通信手段と、前記デジタルカメラの電源がバッテリであるか、ＡＣ電源であるかを判別する電源判別手段と、前記電源判別手段によりバッテリであると判別され、さらに、前記印刷指定手段により印刷指示された枚数が複数であると判別された場合は、ＡＣ電源を使用することを促すための警告を表示する表示手段とを有することを特徴とする。
本発明のプリントシステムは、画像入力装置と、上記画像入力装置から送信される画像を記録用紙にプリント出力するプリンタとを備えたプリントシステムであって、前記画像入力装置の電源がバッテリであるか、ＡＣ電源であるかを判別する電源判別手段と、印刷対象の画像および印刷枚数を指定する印刷指定手段と、前記電源判別手段によりバッテリであると判別され、さらに、前記印刷指定手段により印刷指示された枚数が複数であると判別された場合は、ＡＣ電源を使用することを促すための警告を表示する表示手段とを有することを特徴とする。
本発明のデジタルカメラの制御方法は、プリンタと通信可能であり、画像を前記プリンタによって印刷させるための制御を行うデジタルカメラの制御方法であって、印刷対象の画像および印刷枚数を指定する印刷指定手順と、印刷対象の画像をプリンタに送信するための通信手順と、前記デジタルカメラの電源がバッテリであるか、ＡＣ電源であるかを判別する電源判別手順と、前記判別手順によりバッテリであると判別され、さらに、前記印刷指定手順により印刷指示された枚数が複数であると判別された場合は、ＡＣ電源を使用することを促すための警告を表示手段に表示する表示手順とを有することを特徴とする。
本発明のプリントシステムの制御方法は、画像入力装置と、上記画像入力装置から送信される画像を記録用紙にプリント出力するプリンタとを備えたプリントシステムの制御方法であって、前記画像入力装置の電源がバッテリであるか、ＡＣ電源であるかを判別する電源判別手順と、印刷対象の画像および印刷枚数を指定する印刷指定手順と、前記電源判別手順によりバッテリであると判別され、さらに、前記印刷指定手順により印刷指示された枚数が複数であると判別された場合は、ＡＣ電源を使用することを促すための警告を表示手段に表示する表示手順とを有することを特徴とする。
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】削除
【補正の内容】
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】変更
【補正の内容】
【００２２】
【発明の実施の形態】
以下、図面を参照して、本発明のデジタルカメラ、プリントシステム及びそれらの制御方法の実施の形態について説明する。